(57)【要約】【課題】本発明は魚釣用リールに関し、糸長計測装置による計測値が釣糸の単位糸長毎の着色や魚探値等に一致しない場合に、計測値がこれらに一致するように調整可能な糸長計測装置を備えた魚釣用リールを提供することを目的とする。【解決手段】リール本体の側板間に回転自在に支持されたスプールの回転数を検出する回転数検出手段と、リール本体に装着した超音波センサからスプールに巻回された釣糸の糸巻面に超音波を発射してその受信波を受信することにより算出する糸巻径データと、上記回転数検出手段で検出されるスプール回転数とから糸長を計測して、リール本体に装着された表示器に計測値を表示させる糸長計測装置とを備えた魚釣用リールに於て、上記リール本体に外部操作体を装着し、上記糸巻径データを算出する際の基準値となるスプールと超音波センサとの位置関係で決定される定数を外部操作体の操作で変更可能としたことを特徴とする。【選択図】　　　図２
2004000054.tif 000002
【特許請求の範囲】
【請求項１】
リール本体の側板間に回転自在に支持されたスプールの回転数を検出する回転数検出手段と、
リール本体に装着した超音波センサからスプールに巻回された釣糸の糸巻面に超音波を発射してその受信波を受信することにより算出する糸巻径データと、上記回転数検出手段で検出されるスプール回転数とから糸長を計測して、リール本体に装着された表示器に計測値を表示させる糸長計測装置と、
を備えた魚釣用リールに於て、
上記リール本体に外部操作体を装着し、
上記糸巻径データを算出する際の基準値となるスプールと超音波センサとの位置関係で決定される定数を、当該外部操作体の操作で変更可能としたことを特徴とする魚釣用リール。
【発明の詳細な説明】
【０００１】
【発明の属する技術分野】
本発明は、リール本体に装着した超音波センサを用いて糸長（釣糸の繰出し量や巻取り量）を計測する糸長計測装置を備えた魚釣用リールに関する。
【０００２】
【従来の技術】
釣果の向上を図るため、従来、多くの魚釣用リールには、糸長を計測してこれを表示器に表示する糸長計測装置が装着されている。
そして、棚取りの精度を高めて釣果の向上を図るため、近年、この種の糸長計測装置として、特許第２９４０８８８号公報に開示されるように超音波センサを用いた糸長計測装置が広く知られている。
【０００３】
図９は上記公報に開示された糸長計測装置で、この糸長計測装置は、スプール１に巻回される釣糸３の糸巻面５に対し、送信用の超音波センサ７と受信用の超音波センサ９をリール本体に略Ｖ字状に装着し、マイクロコンピュータ１１のＣＰＵが、超音波センサ７から糸巻面５に発射した超音波Ｐが超音波センサ９で受信されるまでの時間差ｔをタイマで測定して、この時間差ｔを基に、先ず糸巻径データとして糸巻面５と両超音波センサ７，９との間の距離ａを、ＲＯＭに記憶された
距離ａ＝音速３３１（ｍ／ｓｅｃ）×１／２×ｔ
の計算式で演算し、次いでスプール１に巻回された釣糸３の糸巻径Ｄを、ＲＯＭに記憶された
糸巻径Ｄ＝（Ｈ−ａ）×２
の計算式で算出する。
【０００４】
尚、この計算式に於て、Ｈは図示するように両超音波センサ７，９とスプール軸１３の軸心Ｌ間の距離（理論的基準値）で、この距離Ｈは魚釣用リールの仕様に応じ、予めＲＯＭに設定，記憶されている。
そして、ＣＰＵは、スプール１の端面に装着したマグネット１５と、これに対向してリール本体のフレーム１７に装着したリードスイッチ１９からなる回転数検出手段２１で計測されたスプール１の実回転数Ｎと、上記計算式で算出された糸巻径Ｄを基に、ＲＯＭに記憶された
糸長Ｌ＝π・Ｄ・Ｎ
の計算式から糸長Ｌを演算して、この演算結果を表示駆動回路２３を介して表示器２５に表示させるもので、釣人は斯かる計測値に基づいて所定の棚位置に仕掛けを繰り出すことができることとなる。
【０００５】
【発明が解決しようとする課題】
しかし、上記糸長計測装置にあっては、リール本体に取り付く超音波センサ７，９自体やリール本体側のセンサ取付部の寸法精度のバラツキ、及び超音波センサ７，９をセンサ取付部に装着した際の取付精度のバラツキにより、超音波センサ７，９とスプール軸１３の軸心Ｌ間の距離Ｈに誤差が生じて、正確な糸長計測を行うことができなくなる虞があった。
【０００６】
そして、通常、釣糸には、例えば１０ｍ毎に色違いの着色が施されたり、１ｍ単位毎のマーキングが施され、釣人はこれらを目安に糸長を把握することができるが、上述の如く超音波センサ等の寸法精度や取付精度のバラツキによって糸長計測に誤差が生ずると、表示器に表示された計測値と釣糸の着色やマーキングとが一致しなくなって、釣人は糸長計測装置が正常に作動していないことを認識することとなるし、また、糸長計測装置が正確性に欠けることで不快感を感じてしまう。
【０００７】
また、実釣時に仕掛けは潮流の影響で真下に繰り出されることはなく、このため、魚群探知機（以下、「魚探」という）を使用した場合、魚探の水深と計測値とが一致しないことがある。
そして、釣人は状況に応じ魚探の水深に計測値を補正して、仕掛けの水深を魚探の値に一致させたい場合も生じるが、従来の糸長計測装置にあっては、斯かる補正ができないのが実情であった。
【０００８】
本発明は斯かる実情に鑑み案出されたもので、糸長計測装置による計測値が釣糸の単位糸長毎の着色や魚探値等に一致しない場合に、計測値がこれらに一致するように調整可能な糸長計測装置を備えた魚釣用リールを提供することを目的とする。
【０００９】
【課題を解決するための手段】
斯かる目的を達成するため、請求項１に係る発明は、リール本体の側板間に回転自在に支持されたスプールの回転数を検出する回転数検出手段と、リール本体に装着した超音波センサからスプールに巻回された釣糸の糸巻面に超音波を発射してその受信波を受信することにより算出する糸巻径データと、上記回転数検出手段で検出されるスプール回転数とから糸長を計測して、リール本体に装着された表示器に計測値を表示させる糸長計測装置とを備えた魚釣用リールに於て、上記リール本体に外部操作体を装着し、上記糸巻径データを算出する際の基準値となるスプールと超音波センサとの位置関係で決定される定数を、当該外部操作体の操作で変更可能としたことを特徴とする。
【００１０】
（作用）
請求項１に係る発明によれば、糸長計測装置は、リール本体に装着した超音波センサから釣糸の糸巻面に超音波を発射してその受信波を受信することにより、スプールと超音波センサとの位置関係で予め決定された定数を用いて糸巻径データを算出した後、この糸巻径データと回転数検出手段で検出されたスプール回転数から糸長を算出して表示器に計測値を表示させる。
【００１１】
そして、表示器に表示された計測値が使用糸の単位長さ毎の着色やマーキングと一致しない場合、外部操作体の操作で上述した定数を変更すれば、計測値と使用糸の単位長さ毎の着色等とが一致することとなる。
また、上述の如き定数の変更は魚探を用いた場合にも適用でき、潮流の影響で仕掛けが流されて魚探の水深と計測値とが一致しない場合に、計測値が魚探の水深に一致するように補正したいならば、外部操作体の操作で上述した定数を変更することで、計測値が魚探の水深と一致することとなる。
【００１２】
【発明の実施の形態】
以下、本発明の実施形態を図面に基づき説明する。
図１は請求項１の一実施形態に係る魚釣用リールを示し、図中、２７はリール本体２９のフレーム、３１，３３は当該フレーム２７の左右に取り付く側板で、両側板３１，３３間にスプール軸３５を介してスプール３７が回転自在に支持されている。
【００１３】
スプール３７は、スプールモータ３９の駆動やハンドル４１の巻取り操作で回転して釣糸４３が巻回されるようになっており、スプールモータ３９は、スプール３７前方の側板３１，３３間のフレーム２７に成形された図示しない略筒状のモータケースに収容されている。
そして、側板３１内には、図２に示すようにスプールモータ３９のモータ軸３９ａの一端側に装着された遊星歯車とこれに噛合する太陽歯車や内歯歯車からなる遊星式の減速機構４５と、複数枚の歯車４７ａ，４７ｂ，４７ｃからなる動力伝達機構４７が減速機構４５に連結して装着されており、スプールモータ３９の駆動力が、減速機構４５と動力伝達機構４７を介してスプール軸３５に伝達されるようになっている。
【００１４】
而して、スプール軸３５は、スプール３７の中央を貫通してその他端側が側板３３内に突出しており、その突出端に、ハンドル４１の駆動力をスプール３７に伝達させる遊星式の動力伝達機構４９やクラッチ機構５１、また、ハンドル４１のハンドル軸５３と駆動ギヤ５５とを任意のドラグ力で摩擦結合するドラグ装置５７等が装着されている。そして、側板３３の側部後方に装着したクラッチレバー５９のクラッチＯＮ／ＯＦＦ操作で、クラッチ機構５１のクラッチプレートが、駆動ギヤ５５に噛合するピニオン６１と動力伝達機構４９の係合部６３とのクラッチ係合を係脱して、スプール３７へのスプールモータ３９やハンドル４１の駆動力が伝達，遮断されるようになっている。
【００１５】
また、図１に示すようにハンドル４１が取り付く側板３３の側部前方には、特許第２９７７９７８号公報で開示された従来例と同様、スプールモータ３９のモータ出力を増減して釣糸の巻取り速度を調節するパワーレバー６５が、ハンドル４１の回転方向と同方向へ所定の角度に亘って回転操作可能に取り付けられており、図２に示すようにパワーレバー６５は側板３３に内蔵されたポテンショメータ６７に連結されている。
【００１６】
そして、リール本体２９上部の側板３１，３３間に装着した制御ボックス６９にはマイクロコンピュータ７１が組み込まれており、当該マイクロコンピュータ７１は、パワーレバー６５の操作量に応じたパルス信号のデューティ比としてスプールモータ３９への電流通電時間率を可変制御して、パワーレバー６５の操作量に従い、モータ駆動回路７３に指令を送出してスプールモータ３９をモータ停止状態から最大値（０〜１００％）まで連続的に制御するようになっており、当該パワーレバー６５やハンドル４１の操作で釣糸４３がスプール３７に巻回されることとなる。
【００１７】
尚、釣糸４３には、従来と同様、１０ｍ毎に色違いの着色が施されており、釣人はこの着色を目安に糸長を把握することができるようになっている。
而して、上述したように制御ボックス６９は、リール本体２９上部の側板３１，３３間に装着されているが、その表面の操作パネル７５上に、糸長計測値や後述する基準値等を表示する表示器７７が設けられている。
【００１８】
また、図１及び図２に示すように制御ボックス６９の底部には、送信用の超音波センサ７９と受信用の超音波センサ８１が、スプール３７に巻回された釣糸４３の糸巻面８３に対し略Ｖ字状に装着され、また、フレーム２７とこれに対向するスプール３７の一端面には、スプール３７の回転数とその回転方向を検出する回転数検出手段８５として、一対のリードスイッチ８７と複数のマグネット８９が装着されている。
【００１９】
そして、既述した特許第２９４０８８８号公報で開示された糸長計測装置と同様、マイクロコンピュータ７１のＣＰＵは、超音波センサ７９から糸巻面８３に発射された超音波Ｐが超音波センサ８１に受信されるまでの時間差ｔをタイマで測定して、この時間差ｔを基に、先ず糸巻面８３と両超音波センサ７９，８１との間の距離ａを、ＲＯＭに記憶された
距離ａ＝音速３３１（ｍ／ｓｅｃ）×１／２×ｔ
の計算式で演算し、次いでスプール３７に巻回された釣糸の糸巻径Ｄ（糸巻径データ）を、ＲＯＭに記憶された
糸巻径Ｄ＝（Ｈ−ａ）×２
の計算式で算出する。
【００２０】
尚、この計算式に於て、Ｈは図２に示すように超音波センサ７９，８１とスプール軸３５の軸心Ｌ間の距離で、この距離Ｈは糸巻径データとしての糸巻径Ｄを算出する際の基準値となるスプール３７と超音波センサ７９，８１との位置関係で決定される定数であって、魚釣用リールの仕様に応じ予めＲＡＭに設定，記憶されている。
【００２１】
そして、ＣＰＵは、回転数検出手段８５で計測されたスプール３７の実回転数Ｎと、上記計算式で算出された糸巻径Ｄを基に、ＲＯＭにメモリされた
糸長Ｌ＝π・Ｄ・Ｎ
の計算式から糸長Ｌを演算して、その演算結果を表示駆動回路９１を介して表示器７７に表示させるようになっている。
【００２２】
而して、表示器７７の糸長表示は、操作パネル７５上に装着したリセットスイッチ９３の操作でリセットされるが、操作パネル７５上には、当該リセットスイッチ９３に加え棚メモスイッチ９５やモードスイッチ９７が装着されており、図２に示すようにこれらはマイクロコンピュータ７１に接続されている。
そして、表示器７７の表示を見乍ら、釣人が釣糸を所定量（例えば、「水深１２５ｍ」）繰り出した処で棚メモスイッチ９５を操作すると、ＣＰＵは水深１２５ｍを棚位置としてＲＡＭに記憶，更新させるようになっている。
【００２３】
また、モードスイッチ９７は、その操作でＣＰＵを「実釣モード」と「補正モード」に交互に切り換えるように構成されており、「実釣モード」では、上述したようにパワーレバー６５やハンドル４１の操作で釣糸４３がスプール３７に巻回され、そして、釣糸４３の繰出しや巻取りに伴い糸長が計測されて計測値が表示器７７に表示される。
【００２４】
しかし、図９の従来例で既述したように、リール本体に取り付く超音波センサ自体やリール本体のセンサ取付部の寸法精度のバラツキ、また、超音波センサをセンサ取付部に装着した際の取付精度のバラツキ等により、超音波センサとスプール軸の軸心間の距離に誤差が生じて正確な糸長計測を行うことができなくなる虞があり、また、潮流の影響で仕掛けが流されて、魚探の水深値と糸長計測値とが一致せず、釣人は状況に応じ魚探の水深に計測値を補正して仕掛けの水深を魚探値に一致させたい場合が生じる。
【００２５】
そこで、本実施形態は、モードスイッチ９７の操作でＣＰＵが「実釣モード」から「補正モード」に切り換わると、図３に示すように表示器７７上に、ＲＡＭに設定，記憶された定数たる距離Ｈの記号「Ｈ」９９と設定値（本実施形態では、２０．０ｍｍ）１０１が、夫々、文字で表示されるようになっている。
そして、斯様にＣＰＵが「実釣モード」から「補正モード」に切り換わると、パワーレバー６５が斯かる定数（距離Ｈ）を変更する外部操作体として機能し、釣人がパワーレバー６５を出力増加方向に操作すると、図４の如く設定値１０１が増加し、また、反対にパワーレバー６５を出力低下方向に操作すると、図５の如く設定値１０１が減少するようになっている。そして、斯様にパワーレバー６５の操作で定数を変更した後、リセットスイッチ９３を操作すると、変更値がＲＡＭに設定，記憶されて、ＣＰＵは自動的に「実釣モード」に切り換わり、以後、変更された距離Ｈを基に糸長計測が行われるようになっている。
【００２６】
尚、上述したパワーレバー６５に代え、例えば操作パネル７５上にリセットスイッチ９３等と同様なボタンスイッチからなる外部操作体を装着して、当該ボタンスイッチの操作で定数を変更させるように構成してもよい。
本実施形態に係る魚釣用リール１０３はこのように構成されているから、「実釣モード」に於て、ハンドル４１やパワーレバー６５の操作で釣糸４３がスプール３７に巻き取られ、このとき、パワーレバー６５の操作でモータ出力がモータ停止状態から最大値まで連続的に制御されて、巻取り速度が低速から高速へ連続的に調節されることとなる。
【００２７】
また、釣糸４３の繰出しや巻取りに伴い糸長が計測されて、計測値が表示器７７に表示され、表示器７７の表示を見乍ら、釣人が釣糸を所定量（例えば、「水深１２５ｍ」）繰り出した処で棚メモスイッチ９５を操作すれば、水深１２５ｍが棚位置としてＲＡＭに記憶されることとなる。
【００２８】
ところで、既述したように釣糸４３には１０ｍ毎に色違いの着色が施されているため、釣人はこの着色を目安に糸長を把握することができる。
しかし、超音波センサ７９，８１等の寸法精度や取付精度のバラツキ等が原因で、表示器７７に表示された計測値と釣糸４３の着色とが一致せず、糸長計測装置が正確に糸長計測を行っていないと釣人が認識した場合には、モードスイッチ９７の操作でマイクロコンピュータ７１のＣＰＵを「実釣モード」から「補正モード」に切り換え、そして、パワーレバー６５の操作で、表示器７７の表示を見乍ら既述した手順で設定値１０１を増減調節した後、リセットスイッチ９３を操作すれば、変更値がＲＡＭに設定，記憶されてＣＰＵは自動的に「実釣モード」に切り換わり、以後、変更された距離Ｈを基に糸長計測の演算が行われることとなる。
【００２９】
従って、釣人は、表示器７７に表示された計測値と釣糸４３の着色とを比較することで、糸長計測が正確に行われるようになったか否かを把握することができ、依然として両者間に誤差があれば、再度同様の手順で設定値１０１を増減調節すればよい。
そして、上述の如き設定値１０１の増減調節は、魚探を用いた場合にも適用でき、潮流の影響で仕掛けが流されて魚探の水深と計測値とが一致しない場合に、計測値が魚探の水深に一致するように補正したいならば、上述した手順で設定値１０１をパワーレバー６５で増減調節することで、計測値が魚探の水深と一致することとなる。
【００３０】
このように本実施形態によれば、表示器７７に表示された計測値が使用糸４３の単位長さ毎の着色と一致しない場合に、超音波糸長計測を行うに当たって糸巻径データを算出する際の基準値となる定数をパワーレバー６５の操作で変更することで、計測値と使用糸の単位長さ毎の着色とを一致させることができるので、釣人の希望通りの使用状態への設定，変更が可能となった。
【００３１】
また、本実施形態によれば、実釣時に潮流の影響で仕掛けが流されて魚探の水深値と計測値とが一致しない場合にも、上述の如き手順を行うことで計測値を魚探の水深値と一致させることができるため、仕掛けの水深を正確に確認できるといった利点を有する。
図６乃至図８は、「補正モード」に於ける表示器７７の表示形態の変形例を示し、本実施形態は図３乃至図５で示した設定値１０１の表示形態に代え、ＣＰＵが「補正モード」になると、先ず、図６に示すように表示器７７の右側中央に、ＲＡＭに設定，記憶された定数たる距離Ｈの設定値が、横線付きの矩形状のマーク１０５で表示されるようになっている。
【００３２】
そして、上記実施形態と同様の手順で釣人がパワーレバー６５を操作して設定値を増加調節すると、図７に示すように恰もテレビのコントラスト調整のように上記マーク１０５を基準に矩形状のマーク１０７が順次上方へ増加し、また、反対に釣人がパワーレバー６５を操作して設定値を減少調節すると、図８に示すようにマーク１０５を基準にマーク１０７が順次下方へ表示されるように構成したものである。
【００３３】
尚、その他の構成は上記実施形態と同様であるので、同一のものには同一符号を付してそれらの説明は省略する。
本実施形態はこのように構成されており、本実施形態によっても、上記実施形態と同様、所期の目的を達成することが可能で、表示器７７に表示される計測値が使用糸の単位長さ毎の着色と一致しない場合に、糸巻径データ算出時の基準値となる定数をパワーレバー６５の操作で変更して、計測値と使用糸の単位長さ毎の着色とを一致させることができるため、釣人の希望通りの使用状態への設定，変更が可能となる。
【００３４】
そして、実釣時に潮流の影響で仕掛けが流されて魚探の水深と計測値とが一致しない場合にも、計測値を魚探の水深と一致させることが可能となって仕掛けの水深を正確に確認できるといった利点を有する。
【００３５】
【発明の効果】
以上述べたように、請求項１に係る発明によれば、表示器に表示される糸長計測値が使用糸の単位長さ毎の着色やマーキングと一致しない場合に、糸巻径データ算出時の基準値となる定数を外部操作体の操作で変更して、糸長計測値と使用糸の単位長さ毎の着色等を一致させることができるため、釣人の希望通りの使用状態への設定，変更が可能となった。
【００３６】
そして、実釣時に潮流の影響で仕掛けが流されて魚探の水深と計測値とが一致しない場合にも、本発明によれば、計測値を魚探の水深と一致させることが可能となって仕掛けの水深を正確に確認できるといった利点を有する。
【図面の簡単な説明】
【図１】請求項１の一実施形態に係る魚釣用リールの平面図である。
【図２】図１に示す魚釣用リールの概略構成図である。
【図３】表示器の表示形態の説明図である。
【図４】表示器の表示形態の説明図である。
【図５】表示器の表示形態の説明図である。
【図６】表示器の他の表示形態の説明図である。
【図７】表示器の他の表示形態の説明図である。
【図８】表示器の他の表示形態の説明図である。
【図９】超音波センサを用いた従来の糸長計測装置の概略図である。
【符号の説明】
２９　リール本体
３７　スプール
３９　スプールモータ
４３　釣糸
６５　パワーレバー
７１　マイクロコンピュータ
７７　表示器
７９，８１　超音波センサ
８３　糸巻面
８５　回転数検出手段
９７　モードスイッチ
１０３　魚釣用リール
【図１】
2004000054.tif 000003
【図２】
2004000054.tif 000004
【図３】
2004000054.tif 000005
【図４】
2004000054.tif 000006
【図５】
2004000054.tif 000007
【図６】
2004000054.tif 000008
【図７】
2004000054.tif 000009
【図８】
2004000054.tif 000010
【図９】
2004000054.tif 000011